(57)【要約】【課題】プリペイド式記録媒体に未使用期間に応じた付加価値を付与する。【解決手段】端末装置にインターネット網などのネットワークを介して接続されて記録媒体例えば使用代金決済を行うカード情報管理装置３０であって、そのカード情報ＤＢ３２に、少なくともカード識別情報、該カードの残額情報、該カードの最終使用日を記録しておき、カードの使用時（決済時）に端末から入力される識別情報に基づきカード情報ＤＢからカードの残額情報及び該カード最終使用日を読み出し、読み出した該カードの未使用期間を計算する。そして、未使用期間が所定期間以上或いは更にカードの残額が所定の金額以上であるとき、カード情報に料金割引、ポイント付加などの付加価値情報を付与する。【選択図】　　　　　図１
2004086624.tif 000002
【特許請求の範囲】
【請求項１】
端末装置に接続可能な記録媒体の使用代金決済用情報管理装置であって、
少なくとも記録媒体識別情報、該記録媒体の残額情報、該記録媒体の最終使用日が記録された記録媒体情報ＤＢと、
記録媒体の使用時に入力された記録媒体の識別情報に基づき記録媒体情報ＤＢから記録媒体の価値情報及び該記録媒体最終使用日を読み出す手段と、
読み出した該記録媒体の未使用期間を計算する手段と、
未使用期間が所定期間以上であるとき該記録媒体の付加価値情報を選択する手段を備えたことを特徴とする記録媒体情報管理装置。
【請求項２】
請求項１に記載された記録媒体情報管理装置において、
前記記録媒体の付加価値情報を選択する手段は、さらに記録媒体の残額が所定の金額以上であるとき記録媒体の付加価値情報を選択することを特徴とする記録媒体情報管理装置。
【請求項３】
請求項１又は２に記載された記録媒体情報管理装置において、
前記記録媒体の付加価値情報を選択する手段は、記録媒体の未使用期間に応じた割引又はその他の所定のサービスを表す付加価値情報を選択することを特徴とする記録媒体情報管理手段。
【請求項４】
請求項１乃至３に記載された記録媒体情報管理装置は、ネットワークを介して端末装置に接続されることを特徴とする記録媒体情報管理装置。
【請求項５】
端末装置に接続されて記録媒体の使用代金決済を行う記録媒体情報管理装置に記録媒体情報処理手順を実行させるためのプログラムであって、
記録媒体情報ＤＢに少なくとも記録媒体識別情報、該記録媒体の残額情報、該記録媒体の最終使用日を記録させる手順と、
記録媒体の使用時に記録媒体の識別情報に基づき記録媒体情報ＤＢから記録媒体の残額情報及び該記録媒体最終使用日を読み出す手順と、
読み出した該記録媒体の未使用期間を計算する手順と、
未使用期間が所定期間以上であるとき記録媒体の付加価値情報を選択する手順と、
を前記情報管理装置に実行させることを特徴とする記録媒体情報処理用プログラム。
【請求項６】
請求項５に記載された記録媒体情報処理用プログラムにおいて、前記記録媒体の付加価値情報を選択する手順は、当該記録媒体の前記算出された未使用期間が一定値以上であるか否か判断する手順、一定値以上であると判断されたとき前記未使用期間に応じて、異なる付加価値情報が記載されたテーブルから該当する付加価値情報を選択する手順からなることを特徴とする、前記記録媒体情報管理装置に実行させるための記録媒体情報処理用プログラム。
【発明の詳細な説明】
【０００１】
【発明の属する技術分野】
本発明は、物品を購入した際に例えばＩＣカード等の記録媒体で決済を行う場合の記録媒体決済方式に関し、特に記録媒体の未使用期間に応じて記録媒体に付加価値を付加するための記録媒体情報管理装置及び記録媒体情報処理用プログラムに関する。
【０００２】
【従来の技術】
現在、物品或いはサービスの提供を受ける場合に、現金の授受を行わずに、プリペイド方式のカード、例えばハイウエイカード、テレフォンカード等で支払いを行うことが広範な商取引分野で行われている。
この場合、プリペイドカードにはその利用或いは販売促進のために実際の購入に要した金額よりもプラスアルファした金額分だけ利用できるようにしたものが一般的に知られている。
これはカードの利用者にとって有利であるとともに、販売側にとってもプリペイドカードの場合には購入後紛失したり、或いは実際には使用されないまま放置されず利用されないこともあるから、販売促進面から見れば有利になるからである。
ところで、従来のカードは磁気記録型のカードが多く使用されているが、これらのカードでは基本的にはそこに記録された価格情報を書き換えることは不可能であった。また、従来の磁気カードでは偽造並びに価格情報の改ざん等、セキュリティの問題からも使い捨てが基本であり、一度購入したカードの価格情報を後から書き換えることはないため、以上のようにプリペイドカードに最初に販売金額にプラスアルファを付加してカードに付加価値情報を付けておくことは容易であった。
しかしながら、近年ＩＣカードが普及してくると、プリペイドカードにおいてその価格情報を後に書き換えることが可能となり、実際そのようなカードも使用されるようになっている。しかし、これらのカードではある程度使用した段階で追加金額を投入してその価格情報を書き換えることになり、しかもその価格は最初に設定された金額によらず任意であるから、再投入される金額によりプリペイドカードの価格は一定せず、プリペイドカードの金額に従来のようにプラスアルファを付加することは困難である。
【０００３】
他方、使い捨てのプリペイドカードにおいても、従来は購入金額が大きくなるに従って付加価値を大きくするよう上乗せ率を金額の大きさに合わせて大きくする傾向がある。しかし、例えばハイウエイカードを例に採ると、金額の大きなハイウエイカードを購入しても業者は別として、一般のドライバにとっては必ずしも有利にはならない。一般のドライバはそれほど頻繁にハイウエイを利用することは希であって、仮に付加価値が高くとも、使用しないうちに紛失したり忘れたりすることがある。そこでこの点を考慮して付加価値が低くとも価格の低いカードを購入する傾向がある。これでは販売側にとってはプリペイドカードのメリットは少ない。従って、高価格のプリペイドカードの利用及び普及は進まないという問題がある。
【０００４】
【発明が解決しようとする課題】
そこで、本発明の目的は、リチャージ可能なプリペイドカードにも適用できる新たな付加価値を導入して、プリペイドカードの普及及び利用を促進させることである。
【０００５】
【課題を解決するための手段】
請求項１の発明は、端末装置に接続可能な記録媒体の使用代金決済用情報管理装置であって、少なくとも記録媒体識別情報、該記録媒体の残額情報、該記録媒体の最終使用日が記録された記録媒体情報ＤＢと、記録媒体の使用時に入力された記録媒体の識別情報に基づき記録媒体情報ＤＢから記録媒体の価値情報及び該記録媒体最終使用日を読み出す手段と、読み出した該記録媒体の未使用期間を計算する手段と、未使用期間が所定期間以上であるとき該記録媒体の付加価値情報を選択する手段を備えたことを特徴とする記録媒体情報管理装置である。
【０００６】
請求項２の発明は、請求項１に記載された記録媒体情報管理装置において、　前記記録媒体の付加価値情報を選択する手段は、さらに記録媒体の残額が所定の金額以上であるとき記録媒体の付加価値情報を選択することを特徴とする記録媒体情報管理装置である。
【０００７】
請求項３の発明は、請求項１又は２に記載された記録媒体情報管理装置において、前記記録媒体の付加価値情報を選択する手段は、記録媒体の未使用期間に応じた割引又はその他の所定のサービスを表す付加価値情報を選択することを特徴とする記録媒体情報管理手段である。
【０００８】
請求項４の発明は、請求項１乃至３に記載された記録媒体情報管理装置は、ネットワークを介して端末装置に接続されることを特徴とする記録媒体情報管理装置である。
【０００９】
請求項５の発明は、端末装置に接続されて記録媒体の使用代金決済を行う記録媒体情報管理装置に記録媒体情報処理手順を実行させるためのプログラムであって、記録媒体情報ＤＢに少なくとも記録媒体識別情報、該記録媒体の残額情報、該記録媒体の最終使用日を記録させる手順と、記録媒体の使用時に記録媒体の識別情報に基づき記録媒体情報ＤＢから記録媒体の残額情報及び該記録媒体最終使用日を読み出す手順と、読み出した該記録媒体の未使用期間を計算する手順と、未使用期間が所定期間以上であるとき記録媒体の付加価値情報を選択する手順と、を前記情報管理装置に実行させることを特徴とする記録媒体情報処理用プログラムである。
【００１０】
請求項６の発明は、請求項５に記載された記録媒体情報処理用プログラムにおいて、前記記録媒体の付加価値情報を選択する手順は、当該記録媒体の前記算出された未使用期間が一定値以上であるか否か判断する手順、一定値以上であると判断されたとき前記未使用期間に応じて、異なる付加価値情報が記載されたテーブルから該当する付加価値情報を選択する手順からなることを特徴とする、前記記録媒体情報管理装置に実行させるための記録媒体情報処理用プログラムである。
【００１１】
【発明の実施の形態】
本発明の記録媒体をカードに例を採ってその実施形態を図面を参考にして説明する。
図１は本発明の決済システムを全体概略的に示した図である。
本決済システムは、カード端末装置１０、例えばインターネット網等のネットワーク２０、ネットワーク２０に接続されたカード情報管理装置（サーバ）３０及び同管理装置３０に付属したカード情報を記憶しておくためのカード情報ＤＢ３２から成っている。
また、カード端末装置１０は、プリペイドカードの残額情報を読み取りかつ、決済したときに或いは貨幣を払い込んだ（チャージした）ときに残額情報を書き込むカードリーダライタ部１２，カード端末とカード情報管理装置３０との通信を例えばインターネット網などのネットワーク２０を介して行うための通信制御部１４，表示部１６及びキーボード或いは入力画面上の入力部などの入力部１８から成っている。
【００１２】
本発明に係るカード情報管理システムではカード識別情報及び少なくとも金額情報が記憶されたＩＣカードが使用され、代金支払いの際にカードをカード端末装置１０のＩＣカードリーダライタ部１２に接触または接近させるなどして、そのカードの識別情報を読み取らせる。
図２は本発明のカード情報管理システムにおけるカード情報管理装置（又は管理サーバ）３０における決済のための処理を説明するためのフロー図である。
図中、カード端末装置１０は読み取ったカード識別情報と共に、物品の購入或いはサービスに対する対価つまり支払うべき代金情報を入力部１８から入力し、日付データと共に前記ネットワーク経由でカード情報管理装置３０に送信する。カード情報管理装置３０では受信した識別情報に基づきカード情報ＤＢに記憶された当該カードの金額情報を読み出し（Ｓ１０１）、決済のための計算処理を行うと共にカード情報ＤＢ３２からそのカードの前回の購入日情報、それが存在しなければ新規登録日又はカードチャージ日を読み出し（Ｓ１０２）、現在（購入日）までの日数（未使用日数）を計算する（Ｓ１０３）。次に決済が新規登録又はチャージ後初めて否かを判断し（Ｓ１０４）、初めての決済であって（Ｓ１０４、ＹＥＳ）その日数が所定の最低期間を超えていれば（Ｓ１０５、ＹＥＳ）、カード情報管理装置３０内に備えるサービステーブルからその期間に該当するサービス情報を選択つまり読み出し（Ｓ１０６）、サービス内容が料金割引であれば（Ｓ１０７、ＹＥＳ）、支払い金額を割り引いて決済し（Ｓ１０８）、カード情報ＤＢ３２には、カード識別情報と共に、新たな残額情報、購入の日付、決済金額等を記録し（Ｓ１０９）、残額をカード端末装置１０に通知して（Ｓ１１０）処理を終了する。
【００１３】
ステップ１０７でサービスが料金割引でない場合は（Ｓ１０７、ＮＯ）、支払い金額をそのまま決済し（Ｓ１１１）、カード情報ＤＢには、カード識別情報と共に、新たな残額情報、購入の日付、決済金額等を記録し（Ｓ１１２）、
サービス内容共に残額を通知して（Ｓ１１３）処理を終了する。
ステップＳ１０４において、新規登録又はチャージ後初めての決済ではなく、既に決済を行っており（Ｓ１０４、ＮＯ）、その日数が所定の最低期間を超えかつ、その間の残額が所定の金額例えば１万円を超える場合には（Ｓ１１４、ＹＥＳ）、カード情報管理装置３０内に備えるサービステーブルからその期間に該当するサービス情報を読み出して（Ｓ１０６）、既に述べたステップＳ１０６以降の処理を行う。その日数が所定の最低期間を超えないか、或いはその間の残額が所定の金額例えば１万円を超えない場合には（Ｓ１１４、ＮＯ）、支払金額をそのまま決済し（Ｓ１１５）、カード情報ＤＢには、カード識別情報と共に、新たな残額情報、購入の日付、決済金額等を記録し（Ｓ１０９）、
送信先であるカード端末装置１０に残額を通知して（Ｓ１１０）、処理を終了する。以上の処理において、カード端末装置１０のカードリードライタ部でカードに残額情報を書き込み、或いは読み取るようにすることもできる。
【００１４】
図３は、前記サービステーブルの内容の１例を示している。
図示の例では、サービス内容としての特典は、５％引き、３％引き、その他（例えば、ポイントの加点、景品授与等）の特典の３種類が用意されている。他方サービス提供の条件は、新規登録後から未使用日数、カードチャージ後から未使用日数、最終利用日からの未使用日数の合計でかつ残金が例えば１万円以上の３種類が用意されており、それぞれ、日数として３６５日以上、１８３日以上、９０日以上が規定されている。
【００１５】
例えば、新規にプリペイドカードを購入してから全く使用しないで１８３日が経過すると、支払いの際に３％引きの特典が得られる。その後未使用のまま９０日以上経過した場合は、そこで例えば物品の購入等の支払いがあれば、その時点で残額が１万円以上あればその他のサービス（ポイント加点、景品）を受けることができる。
【００１６】
本発明は、記録媒体情報管理装置において記録媒体情報管理手順を行わせるためのプログラムをも提供するものである。
具体的には図４に示すように、当該プログラムをカード情報管理装置３０のＲＯＭ３０Ａに格納しておき、カード情報管理装置３０のＣＰＵ３０Ｂはカード端末装置１０からの指示を受信すると、ＲＯＭ３０Ａからカード情報管理用プログラムを読み出すとともに、ＲＡＭ３０Ｃのワーク領域を用いてカード情報ＤＢ３２から必要な情報を読み出し、以上で述べたように、演算処理、その結果の書き込み、カード端末装置１０への情報の送信等の処理を行う。
また、前記販売情報管理用プログラムは、フレキシブルディスク、ＭＯ、ＣＤ等の周知の記録媒体に記録して、或いはネットワークを介して提供することができる。
【００１７】
【発明の効果】
本発明によれば、チャージ可能なプリペイド式の記録媒体に付加価値を持たせることができる。しかも、その付加価値は記録媒体での支払い額に応じて変動するのではなく、未使用期間の長さに応じて変動するようにしたから、記録媒体を未使用のままにしておけば付加価値が上昇するから、直ぐに使用する積もりがなくとも記録媒体を購入して寝かせておくことができ、記録媒体の販売促進が期待できる。
付加価値を例えば、割引、利用ポイントの加点等多様な形態で与えることができるため、利用者にきめ細かいサービスが提供できる。
さらに、以前に購入した記録媒体が思いがけず出てきたときには付加価値が付与されていることもありその喜びを一層大きなものとすることができ、記録媒体の普及につながることができる。
【図面の簡単な説明】
【図１】本発明の実施形態であるカード情報管理装置を用いたカード情報管理システムの概略構成図である。
【図２】カード情報管理装置におけるカード情報管理のための処理手順を説明するためのフロー図である。
【図３】サービステーブルの内容の１例を示す図である。
【図４】カード情報管理装置の概略構成を示すブロック図である。
【符号の説明】
１０・・・カード端末装置、２０・・・ネットワーク、３０・・・カード情報管理装置
３２・・・カード情報ＤＢ
【図１】
2004086624.tif 000003
【図２】
2004086624.tif 000004
【図３】
2004086624.tif 000005
【図４】
2004086624.tif 000006